(57)【要約】【課題】照明欠損領域を減少させることができ、且つ美観の向上を図ることができる照明カバーを提供する。【解決手段】照明カバー８は、光源３からの光を通すための開口１１を形成するフレーム枠９と、光源３からの光を拡散して照射する照射面を形成するように、フレーム枠９に取り付けられる光拡散シート１０とを備えて構成されており、フレーム枠９の透光部１３の先端には、光拡散シート１０と当接する部分に遮光部１８が設けられている。【選択図】  図４
2010165515.tif 000002
【特許請求の範囲】
【請求項１】
光源からの光を拡散させるために前記光源を覆うように配置される照明カバーであって、
前記光源からの前記光を通すための開口を形成するフレーム枠と、
前記光源からの前記光を拡散して照射する照射面を形成するように、前記フレーム枠に取り付けられる光拡散シートとを備え、
前記フレーム枠は、透光性の材料によって形成された透光部を有し、
前記透光部の先端には、前記光拡散シートと当接する部分に遮光部が設けられていることを特徴とする照明カバー。
【請求項２】
前記遮光部は、前記透光部の先端に遮光性の材料から成る部材が付設されて成ることを特徴とする請求項１記載の照明カバー。
【請求項３】
前記遮光部は、前記透光部の先端に遮光性の材料が塗布されて成ることを特徴とする請求項１記載の照明カバー。
【請求項４】
光源からの光を拡散させるために前記光源を覆うように配置される照明カバーであって、
前記光源からの前記光を通すための開口を形成するフレーム枠と、
前記光源からの前記光を拡散して照射する照射面を形成するように、前記フレーム枠に取り付けられる光拡散シートとを備え、
前記フレーム枠は、透光性の材料によって形成された透光部を有し、
前記光拡散シートは、前記透光部の先端部と当接する部分が遮光性を有することを特徴とする照明カバー。
【発明の詳細な説明】
【技術分野】
【０００１】
本発明は、天井等に設けられる照明装置の照明カバーに関する。
【背景技術】
【０００２】
従来から、ギャラリー、エントランス等において、天井面に取り付けられた多数の蛍光管と、照明カバーとにより面照明を実現する照明装置として、例えば特許文献１に記載されたものが知られている。特許文献１に記載の照明装置では、天井面に光を乱反射する反射材を設けることにより、照明の中心部と縁部との明るさの均整度向上を図っている。
【０００３】
ところで、上記の照明装置は、平面状の天井に対しては、照明カバーを近接させて配置することができる。一方で、吊天井方式の天井は、天井部にＴバー等の目地調整材が縦横に存在し、また、壁面近傍には目地調整用の見切り材が存在している。そのため、照明カバーを取り付ける際、これらの目地調整材や見切り材を避けて照明カバーを配置しなければならない。従って、上記従来の照明装置を吊天井に設置した場合には、並べて配置した照明カバーの隙間が大きくなったり、照明カバーと壁との隙間が大きくなることが避けられないため、照明欠損領域が生じ、美観を損ねるといった問題がある。
【０００４】
そこで、シートとフレーム枠とが当接する部分を透明樹脂材とすることにより、連接して設けられた場合であっても、目地部にまで光を入り込ませるようにすることで、照明欠損領域（枠影）を生じさせないようにしている電装表示装置がある（例えば、特許文献２参照）。このような構成を上記の照明装置に採用することで、照明欠損領域の問題を解消することが可能である。
【先行技術文献】
【特許文献】
【０００５】
【特許文献１】特開２００６−１４７２８２号公報
【特許文献２】特開平９−２８１９１２号公報
【発明の概要】
【発明が解決しようとする課題】
【０００６】
上記の構成のように、シートとフレーム枠とが当接する部分を透明樹脂材とした場合には、照明欠損領域を減少させるのに有効である。しかしながら、目地部と照明カバーとの間に光度の差が生じ、照明カバー間の目地部がぼんやりとして見えるようになる。そのため、天井全体から圧迫感を感じ、依然として美観が損なわれるといった問題があった。
【０００７】
本発明は、以上の課題を解決することを目的としており、照明欠損領域を減少させることができ、且つ美観の向上を図ることができる照明カバーを提供することを目的とする。
【課題を解決するための手段】
【０００８】
本発明に係る照明カバーは、光源からの光を拡散させるために光源を覆うように配置される照明カバーであって、光源からの光を通すための開口を形成するフレーム枠と、光源からの光を拡散して照射する照射面を形成するように、フレーム枠に取り付けられる光拡散シートとを備え、フレーム枠は、透光性の材料によって形成された透光部を有し、透光部の先端には、光拡散シートと当接する部分に遮光部が設けられていることを特徴とする。
【０００９】
この照明カバーでは、光拡散シートと当接する部分に遮光部が設けられている。これにより、光拡散シートとフレーム枠との当接部分、すなわち照明カバーの外周縁部に光を通さない線が形成され、照明カバーの外周縁部がくっきり見えるようになる。そのため、照明カバーと目地部との境界がはっきりし、天井全体から圧迫感を感じることがなくなる。また、フレーム枠が透光部を有しているので、隣接する照明カバー間の目地部まで光が入り込み、照明欠損領域を減少させることができる。従って、照明欠損領域を減少させることができ、且つ美観の向上を図ることができる。
【００１０】
また、遮光部は、透光部の先端に遮光性の材料から成る部材が付設されて成ることが好適である。この構成により、例えば透光部の先端に遮光性のテープを貼ることで、容易に且つ確実に遮光部を設けることができる。
【００１１】
また、遮光部は、透光部の先端に遮光性の材料が塗布されて成ることが好適である。この構成により、例えば透光部の先端に遮光性の塗料を塗布することで、容易に且つ確実に遮光部を設けることができる。
【００１２】
本発明に係る照明カバーは、光源からの光を拡散させるために光源を覆うように配置される照明カバーであって、光源からの光を通すための開口を形成するフレーム枠と、光源からの光を拡散して照射する照射面を形成するように、フレーム枠に取り付けられる光拡散シートとを備え、フレーム枠は、透光性の材料によって形成された透光部を有し、光拡散シートは、透光部の先端部と当接する部分が遮光性を有することを特徴とする。
【００１３】
この照明カバーでは、光拡散シートの透光部の先端部と当接する部分が遮光性を有している。これにより、光拡散シートとフレーム枠との当接部分、すなわち照明カバーの外周縁部に光を通さない線が形成され、照明カバーの外周縁部がくっきり見えるようになる。そのため、照明カバーと目地部との境界がはっきりし、天井全体から圧迫感を感じることがなくなる。また、フレーム枠が透光部を有しているので、隣接する照明カバー間の目地部まで光が入り込み、照明欠損領域を減少させることができる。従って、照明欠損領域を減少させることができ、且つ美観の向上を図ることができる。
【発明の効果】
【００１４】
本発明によれば、照明欠損領域を減少させることができ、且つ美観の向上を図ることができる。
【図面の簡単な説明】
【００１５】
【図１】本発明の第１実施形態に係る照明カバーを用いた照明装置を天井に設けた状態の概略斜視図である。
【図２】図１に示す照明装置の概略断面図である。
【図３】照明カバーの要部を拡大して示す要部拡大断面図である。
【図４】図３に示すフレーム枠の外観を示す斜視図である。
【図５】変形例に係る透光部を示す断面図である。
【図６】変形例に係るフレーム枠を示す断面図である。
【図７】図６に示すフレーム枠の外観を示す斜視図である。
【図８】本発明の第２実施形態に係る照明カバーを用いた照明装置の外観を示す斜視図である。
【発明を実施するための形態】
【００１６】
以下、図面を参照して本発明に係る照明カバーを用いた照明装置の好適な実施の形態について説明する。
【００１７】
［第１実施形態］
図１は、本発明の第１実施形態に係る照明カバーを用いた照明装置を天井に設けた状態の概略斜視図であり、図１（ａ）は、照明カバーが閉じられた状態を示しており、図１（ｂ）は、照明カバーが開けられた状態を示している。図２は、図１に示す照明装置の概略断面図であり、図２（ａ）は、図１（ａ）に示す照明装置の概略断面図であり、図２（ｂ）は、図１（ｂ）に示す照明装置の概略断面図である。図３は、照明カバーの要部を拡大して示す要部拡大断面図である。
【００１８】
照明装置１は、この照明装置１が設けられる空間の面照明を実現するために、例えば複数の照明装置１が隣接して天井面に設置される。具体的に、図２及び図３に示すように、照明装置１は、建物躯体に固定された吊ボルト２に支持されると共に、天井面に平行となるように配設された目地調整材３を挟んで複数設置されている。
【００１９】
照明装置１は、天井に取り付けるための構成として、図３に示すように、天井に水平に配置されている支持材４に取り付けるための取付部５と、この取付部５の側縁から垂直に下方に延びる枠部６を備えている。この枠部６の下端に囲まれる領域に後述する照明カバー８の上端領域を挿入させて照明カバー８を取り付ける構成となっている。図１に示すように、隣接して配置される照明装置１は、目地調整材３を挟んで配置する際に、目地調整材３に干渉しないように適当な距離を開けて配置されている。
【００２０】
また、照明装置１は、照明機能のための構成として、光源７と、照明カバー８とを有している。光源７は、照明のための光を発するものであり、例えば蛍光管等により構成されている。光源７は、図２に示すように、支持材４に所定の間隔を有して複数設置されている。
【００２１】
照明カバー８は、光源７を覆うように配置されており、フレーム枠９と、光拡散シート１０とを備えている。フレーム枠９は、４辺によって略矩形状の外形を構成すると共に、光源７からの光を通すための開口１１を形成している。フレーム枠９は、図３に示すように、本体部１２と、透光部１３とから構成されている。
【００２２】
本体部１２は、例えばアルミニウム等といった金属材によって中空構造に形成されたアルミニウム押出型材である。この本体部１２は、枠部６に連結される連結部１４と、光拡散シート１０を固定するための断面コ字状の凹部１５と、透光部１３を嵌入して固定する固定部１６とが形成されている。本体部１２は、図３に示すように、凹部１５の開口が枠部６側を向くように配置されている。本体部１２と枠部６との連結については、後述する。
【００２３】
透光部１３は、例えばアクリル樹脂材等といった透光性の材料から形成されたアクリル樹脂押出型材である。図３に示すように、透光部１３は、断面が先端（図示下側）に向かって細くなるように内側壁１７ａ及び外側壁１７ｂによってＶ字状に形成されおり、内側壁１７ａは、外側壁１７ｂに対して傾斜している。透光部１３は、この外側壁１７ｂが枠部６側となるように本体部１２の固定部１６に嵌入されている。この透光部１３の先端には、遮光部１８が設けられている。具体的には、図４を参照しながら説明する。図４は、フレーム枠９の外観を示す斜視図である。図４においては、説明の便宜上、図３とは上下を逆に示している。
【００２４】
図４に示すように、遮光部１８は、透光部１３の先端に遮光性の材料が付設又は塗布されることにより形成されている。すなわち、透光部１３の内側壁１７ａ及び外側壁１７ｂに、遮光性を有する材料が長手方向に沿って付設又は塗布されている。遮光性を有する材料とは、光を透過しないものであればよく、例えば黒色の粘着テープや黒色のマジック等である。この遮光性を有する材料は、透光部１３の内側壁１７ａ及び外側壁１７ｂに亘って例えば塗布されており、その幅寸法は例えば１ｍｍ〜３０ｍｍ（より好ましくは、５ｍｍ〜２５ｍｍ）程度である。
【００２５】
また、図３に戻って、光拡散シート１０は、光源７からの光を拡散して照射する照射面を形成するように、開口１１を塞ぐようにフレーム枠９に取り付けられる。この光拡散シート１０は、例えば透光性の無機質繊維クロスに耐熱透光性樹脂をコーティングしたものである。無機質繊維クロスとしては、ガラス繊維クロスが好ましく、耐熱透光性樹脂としては、フッ素樹脂、アクリル樹脂、シリコーン樹脂等が好ましい。光拡散シート１０がガラス繊維クロスからなる場合には、ガラス繊維シートは不燃性を有するので、照明装置１の防火性能が向上する。また、ガラス繊維クロスの光線透過率は、４０％〜９５％程度である。このような光拡散シート１０を用いることにより、光源７から発せられた光が光拡散シート１０を通過しても、照明装置として十分な光量を確保することができる。
【００２６】
次に、光拡散シート１０のフレーム枠９への取り付けについて、図３を参照しながら説明する。図３に示されるように、光拡散シート１０は、フレーム枠９（本体部１２）の凹部１５に固定されている。具体的に、光拡散シート１０は、フレーム枠９の透光部１３で囲まれた開口１１を塞ぐように張られ、透光部１３の先端から外側壁１７ｂに沿うように折り返され、光拡散シート１０の周縁部分が凹部１５まで導かれ、凹部１５に導かれた光拡散シート１０の上から押縁１９をネジ２０によって固定することで、フレーム枠９に固定される。このとき、凹部１５と光拡散シート１０との間に接着剤を塗布するとより好ましい。また、フレーム枠９の透光部１３先端で囲まれた開口１１を塞いだ部分の光拡散シート１０に適当な張力を与えておくことで、この部分の光拡散シート１０は平面を保ち、外観のよい平坦な正面面を形成できる。
【００２７】
上述のようにフレーム枠９に光拡散シート１０が取り付けられた照明カバー８に、光源７から光が照射されると、光拡散シート１０において光が拡散されると共に照射されて照射面が形成される。このとき、光源７から照射された光は、フレーム枠９の透光部１３を透過するため、目地調整材３の下部に形成された空間にまで達することになる。従って、照明カバー８間の照明損失領域が減少することになる。また、遮光部１８においては、例えば塗布された遮光性の材料により光が透過しない。そのため、照明カバー８を外側（照射側）から見た場合には、光拡散シート１０の外周縁部に光を通さない線が形成されることになる。
【００２８】
以上のような構成を有するフレーム枠９は、着脱機構２１を介して枠部６に連結されている。具体的には、図３に示すように、着脱機構２１は、フレーム枠９における本体部１２の連結部１４に取り付けられるばね保持部材２２と、このばね保持部材２２に取り付けられるコイルばね２３と、枠部６に取り付けられる係止部材２５とから構成されている。保持部材２２は、本体部１２の連結部１４に固定される部分が断面Ｌ字状を成しており、例えばネジによって連結部１４に取り付けられている。コイルばね２３は、Ｖ字状に広がる直線部２６ａ，２６ｂを有しており、コイル状に巻かれた下端部分が保持部材２２に継合している。係止部材２５は、コイルばね２３の直線部２６ａ，２６ｂを狭くして閉じた状態で挿入可能な溝を有しており、当該溝においてコイルばね２３（直線部２６ａ，２６ｂ）を上下方向に移動自在としている。以下、着脱機構２１による照明カバー８の開閉について説明する。
【００２９】
照明カバー８を閉じる（保持する）場合には、コイルばね２３の直線部２６ａ，２６ｂを狭くした状態で係止部材２５の溝内に挿入し、フレーム枠９を更に持ち上げることで、コイルばね２３の直線部２６ａ，２６ｂがばね力によりＶ字状に開き、その直線部２６ａ，２６ｂが係止部材２５に引っかかることで、図１（ａ）に示すように、照明カバー８を枠部６に保持させ、照明カバー８を閉じることができる。また、図１（ｂ）に示すように、照明カバー８を空ける（取り外す）場合には、照明カバー８を引き下げることで、コイルばね２３の直線部２６ａ，２６ｂを狭くしながら係止部材２５の溝の下方に引き出し、その後、直線部２６ａ，２６ｂを狭めることで溝部から直線部２６ａ，２６ｂを引き抜くことができ、照明カバー８を取り外し、照明カバー８を空けることができる。以上のように、照明装置１は、図１及び図２に示すように、照明カバー８が開閉可能となっている。
【００３０】
以上のように、本実施形態に係る照明装置１の照明カバー８によれば、光拡散シート１０と当接する部分に遮光部１８が設けられている。これにより、光拡散シート１０とフレーム枠９との当接部分、すなわち照明カバー８の外周縁部に光を通さない線が形成され、照明カバー８の外周縁部がくっきり見えるようになる。そのため、照明カバー８と目地部との境界がはっきりし、天井全体から圧迫感を感じることがなくなる。また、フレーム枠９が透光部１３を有しているので、隣接する照明カバー８間の目地部まで光が入り込み、照明欠損領域を減少させることができる。従って、照明欠損領域を減少させることができ、且つ美観の向上を図ることができる。
【００３１】
また、遮光部１８は、透光部１３の先端に遮光性のテープを貼ったり、遮光性の塗料を塗布することにより形成されている。従って、透光部１３の先端に遮光性の材料を付設又は塗布するといった簡単な作業によって、容易に且つ確実に遮光部１８を設けることができる。
【００３２】
なお、本発明は上記実施形態に限定されるものではない。例えば、上記実施形態では、フレーム枠９における透光部１３の先端に遮光性を有する材料を付設又は塗布することで遮光部１８を設けているが、光拡散シート１０と当接する部分が遮光性を有していればよく、例えば図５に示すような構成であってもよい。図５（ａ），（ｂ）に示すように、透光部１３ａ，１３ｂには、光拡散シート１０と当接する先端部分に別体で設けられた嵌合部２７，３０がそれぞれ付設されている。この嵌合部２７，３０は、何れも遮光性を有する材料から形成されている。図５（ａ）に示すように、嵌合部２７は、透光部１３ａの先端部分を形成するように断面三角形状を成しており、透光部１３ａに形成された凹部２８に凸部２９が嵌入されている。この嵌合部２７の形状は、断面三角形状に限定されず、例えば四角形状、円形状、楕円形状、長円形状等であってもよい。
【００３３】
また、図５（ｂ）に示すように、嵌合部３０は、透光部１３ｂの先端部１８ａを覆うように、透光部１３ｂと略同形状の断面Ｖ字状を成しており、透光部１３ａに形成された２つの溝３１ａ，３１ｂに突設部３２ａ，３２ｂが嵌合されている。これら嵌合部２７，３０が遮光部を構成している。従って、嵌合部２７，３０が透光部１３ａ，１３ｂに嵌合された場合には、光拡散シート１０と当接する部分に光を通さない線が形成されることになる。従って、上記実施形態と同様に、照明カバー８の外周縁部がくっきり見えるようになり、照明欠損領域を減少させることができ、且つ美観の向上を図ることができる。
【００３４】
また、上記実施形態では、フレーム枠９は、本体部１２と断面Ｖ字状の透光部１３とから構成されているが、フレーム枠９の形状はこれに限定されず、例えば図６に示すような形状であってもよい。図６に示すように、フレーム枠９ａは、本体部１２ａと、透光材３３とを有している。
【００３５】
本体部１２ａは、例えばアルミニウム等といった金属材によって中空構造に形成されたアルミニウム押出型材である。この本体部１２ａは、下側部分の断面が先端に向かって細くなるようにＶ字状に形成されている。透光材３３は、例えばアクリル樹脂材等といった透光性の材料から板状に形成されおり、本体部１２ａの先端側の側部２４にネジ３５によって固定されている。この透光材３３の先端（一端）には、遮光部３６が設けられている。具体的には、図７を参照しながら説明する。図７は、フレーム枠９ａの外観を示す斜視図である。図７においては、説明の便宜上、図６とは上下を逆に示している。
【００３６】
図７に示すように、遮光部３６は、透光材３３の先端に遮光性の材料が付設又は塗布されることにより形成されている。すなわち、透光材３３の先端に、遮光性を有する材料が長手方向に沿って付設又は塗布されている。遮光性を有する材料とは、上記実施形態と同様に、光を透過しないものであればよく、例えば黒色の粘着テープや黒色のマジック等である。遮光性を有する材料は、透光材３３の両面に亘って例えば塗布されており、その幅寸法は例えば１ｍｍ〜３０ｍｍ（より好ましくは、５ｍｍ〜２５ｍｍ）程度である。また、透光材３３の先端に嵌合部を取り付け、この嵌合部が遮光性を有する構成（遮光部）であってもよいことは言うまでもない。なお、フレーム枠９ａは、上記フレーム枠９と同様の構成によって照明カバー８が構成され、天井に設置される。
【００３７】
以上のような構成を有するフレーム枠９ａであっても、上記実施形態と同様に、光拡散シート１０と当接する部分に遮光部３６が設けられている。これにより、照明カバー８の外周縁部に光を通さない線が形成され、照明カバー８の外周縁部がくっきり見えるようになる。また、フレーム枠９ａが透光材３３を有しているので、隣接する照明カバー８間の目地部まで光が入り込み、照明欠損領域を減少させることができる。従って、照明欠損領域を減少させることができ、且つ美観の向上を図ることができる。
【００３８】
［第２実施形態］
続いて、本発明の第２実施形態に係る照明カバーを用いた照明装置について説明する。図８は、本発明の第２実施形態に係る照明カバーを用いた照明装置の外観を示す斜視図である。同図において、照明カバー３７は、フレーム枠３８の透光部３９の先端部４０と当接する光拡散シート４１が遮光性を有する点で、第１実施形態と異なっている。
【００３９】
具体的には、図８に示すように、光拡散シート４１は、透光部３９の先端部４０と当接する部分に、遮光性を有する材料がフレーム枠３８の長手方向に沿って付設又は塗布されている。この遮光性を有する材料は、光拡散シート４１の開口１１側の表面に付設又は塗布されてもよいし、その反対側（照射側）の表面に付設又は塗布されてもよい。このような構成により、光拡散シート４１における先端部４０との当接部分は、この部分に例えば塗布された遮光性の材料により光源７から照射された光を透過させない。
【００４０】
以上のように、第２実施形態に係る照明カバー３７によれば、光拡散シート４１のフレーム枠３８の先端部４０と当接する部分が遮光性を有している。これにより、光拡散シート４１とフレーム枠３８との当接部分、すなわち照明カバー３７の外周縁部に光を通さない線が形成され、照明カバー３７の外周縁部がくっきり見えるようになる。そのため、照明カバー３７と目地部との境界がはっきりし、天井全体から圧迫感を感じることがなくなる。また、フレーム枠３８が透光部３９を有しているので、隣接する照明カバー間の目地部まで光が入り込み、照明欠損領域を減少させることができる。従って、照明欠損領域を減少させることができ、且つ美観の向上を図ることができる。
【符号の説明】
【００４１】
７…光源、８，３７…照明カバー、９，９ａ，３８…フレーム枠、１０，４１…光拡散シート、１２，１２ａ…本体部（フレーム枠）、１３，１３ａ，１３ｂ…透光部（フレーム枠）、１８，３６…遮光部、２７，３０…嵌合部（遮光部）、４０…先端部、３３…透光材（透光部）。
【図１】
2010165515.tif 000003
【図２】
2010165515.tif 000004
【図３】
2010165515.tif 000005
【図４】
2010165515.tif 000006
【図５】
2010165515.tif 000007
【図６】
2010165515.tif 000008
【図７】
2010165515.tif 000009
【図８】
2010165515.tif 000010